(57)【要約】      （修正有）【課題】光引込線に強力な引張力が生じたとき切断可能に、かつ光引込線を被固定面に対し少ない部品数で簡単に配線することができる切断刃付配線クリートを提供する。【解決手段】切断刃付配線クリートの配線保持部材１の内側面に、保持凹部１１が光引込線３０を被固定面に対し平行に保持するように形成される。保持凹部１１内に、光引込線３０のテンションメンバーを切断するための第１カットブレード５が光引込線３０の軸方向と垂直な横断面に沿って固定される一方、押え蓋部２の内側面に、第２カットブレード６が、押え蓋部２を閉じたとき、第１カットブレード５との間で、光引込線３０の光ファイバ芯線を残して、テンションメンバーを挟み切りするように、取り付けられる。【選択図】図２
0003165923.tif 000002
【実用新案登録請求の範囲】
【請求項１】
配線保持部材と、該配線保持部材に対しヒンジ部を介して開閉可能に一体成形された押え蓋部と、を備え、該配線保持部材と該押え蓋部に貫通して固定用の挿入孔が設けられ、該挿入孔に固定ねじ又は釘を挿入して被固定面に固定する光引込線配線用の切断刃付配線クリートにおいて、
該配線保持部材の内側面に、保持凹部が該光引込線を該被固定面に対し平行に保持するように形成され、該保持凹部内に、該光引込線のテンションメンバーを切断するための第１カットブレードが該光引込線の軸方向と垂直な横断面に沿って固定され、該押え蓋部の内側面に、第２カットブレードが、該押え蓋部を閉じたとき、該第１カットブレードとの間で、該光引込線の光ファイバ芯線を残して、該光引込線の該テンションメンバーを挟み切りするように、取り付けられたことを特徴とする切断刃付配線クリート。
【請求項２】
前記押え蓋部の内側面に、前記光引込線を把持するための把持用リブが設けられたことを特徴とする請求項１記載の切断刃付配線クリート。
【請求項３】
前記押え蓋部の内側面に、前記配線保持部材側の第１カットブレードを受け入れるためのスリットが前記第２カットブレードに隣接して形成されたことを特徴とする請求項１または２記載の切断刃付配線クリート。
【請求項４】
前記第１カットブレード及び第２カットブレードは、基部に固定部が前記配線保持部材または押え蓋部に嵌入固定可能に形成される一方、先端部両側に刃部が中央の凹部を除き形成されたことを特徴とする請求項１乃至３の何れかに記載の切断刃付配線クリート。
【考案の詳細な説明】
【技術分野】
【０００１】
本考案は、光引込線（光ファイバケーブル）を外壁面の保安器取付台などに固定する配線クリートに関し、特に光引込線内のテンションメンバーを切断可能な切断刃付配線クリートに関する。
【背景技術】
【０００２】
住宅などに引き込まれる電話線の光引込線（光ファイバケーブル）は、一般に、屋外の電柱などから外壁面の保安器を設けた保安器取付台に配線され、そこから外壁の配管などを通して室内に配線される。光引込線は、通常、中央に光ファイバ芯線が配置され、その両側に補強用のテンションメンバーが配置され、それらを被覆材により被覆してケーブル状に構成され、テンションメンバーにより光引込線を補強して容易に切断されない構造となっている。
【０００３】
このために、屋外の電柱などから外壁面の保安器取付台に配線された光引込線が、何らかの外的要因、例えば自動車などに引っ掛けられて、強く引っ張られた場合、保安器取付台から配管を通して室内に配線された光ファイバケーブルが連続して引っ張られ、それにより、光ファイバケーブルの先端に接続された回線終端装置やルータなどが棚上などから引っ張られて移動し、落下するなどの事故が発生する可能性がある。
【０００４】
そこで、従来では、屋外の電柱などから外壁面の保安器取付台に配線する場合、所謂セーフティーループ引き通し工法により、光引込線の配線施工を行い、光引込線に強力な引張力が生じた場合、光引込線が保安器取付台のループ位置で切断されるようになっている。
【０００５】
つまり、従来の引き通し工法では、光引込線を特殊なＣ型切断スリーブに通しさらにループを形成しながら光引込線をその切断スリーブに通し、その後、保安器取付台上で光引込線の２箇所を配線クリートで固定し、自動車により光引込線が引っ掛けられて強く引っ張られた場合、そのＣ型切断スリーブにより光引込線を切断して、室内の光ファイバケーブルが接続される機器に影響が及ばないようにしている。なお、光引込線を固定する配線クリートについては、下記特許文献１などにより知られている。
【先行技術文献】
【特許文献】
【０００６】
【特許文献１】特開平１１−１７８１２５号公報
【考案の概要】
【考案が解決しようとする課題】
【０００７】
しかし、屋外の電柱などから外壁面の保安器取付台に配線する配線作業では、光引込線をＣ型切断スリーブに、ループを形成しながら２回通し、その後、保安器取付台上で光引込線の２箇所を配線クリートで固定するように、配線作業を行うため、使用する部品数が多く、また、２個の配線クリートの合計４箇所でテープ巻き作業を必要とするなど、作業工数が多くなる課題があった。さらに、光引込線を切断スリーブにループを形成しながら２回通しを行うため、その後に続く光引込線の余長の調整が難しいという課題があった。
【０００８】
本考案は、上述の課題を解決するものであり、光引込線に強力な引張力が生じたとき切断可能に、かつ光引込線を保安器取付台などの被固定面に対し少ない部品数で簡単に配線することができる切断刃付配線クリートを提供することを目的とする。
【課題を解決するための手段】
【０００９】
上記目的を達成する本考案の請求項１の切断刃付配線クリートは、配線保持部材と、該配線保持部材に対しヒンジ部を介して開閉可能に一体成形された押え蓋部と、を備え、該配線保持部材と該押え蓋部に貫通して固定用の挿入孔が設けられ、該挿入孔に固定ねじ又は釘を挿入して被固定面に固定する光引込線配線用の切断刃付配線クリートにおいて、該配線保持部材の内側面に、保持凹部が該光引込線を該被固定面に対し平行に保持するように形成され、該保持凹部内に、該光引込線のテンションメンバーを切断するための第１カットブレードが該光引込線の軸方向と垂直な横断面に沿って固定され、該押え蓋部の内側面に、第２カットブレードが、該押え蓋部を閉じたとき、該第１カットブレードとの間で、該光引込線の光ファイバ芯線を残して、該光引込線の該テンションメンバーを挟み切りするように、取り付けられたことを特徴とする。
【００１０】
この考案によれば、光引込線を屋外の電柱などから外壁面の保安器取付台に配線する際、光引込線を切断刃付配線クリートの配線保持部材の保持凹部内に入れ、押え蓋部を閉じ、挿入孔に固定ねじ又は釘を挿入して切断刃付配線クリートを被固定面に固定すれば、第１カットブレードと第２カットブレードにより光引込線のテンションメンバーが光ファイバ芯線を残して切断され、この状態で光引込線は保安器取付台に配線固定される。
【００１１】
このため、従来、Ｃ型切断スリーブと２個の配線クリートを使用して光引込線を配線した場合と同様に、自動車などが光引込線を引っ掛けて光引込線に大きな引張力が生じた際には光引込線を安全に切断することができる一方、従来のＣ型切断スリーブを使用する場合とは相違して、ループを形成し或いは複数の配線クリートを用いたり、複数個所にテープを巻く必要がなく、１個の配線クリートを保安器取付台などに固定するのみで、少ない部品数で、非常に簡単に光引込線の配線を行うことができる。
【００１２】
請求項２の考案は、上記請求項１の切断刃付配線クリートにおいて、上記押え蓋部の内側面に光引込線を把持するための把持用リブが設けられたことを特徴とする。この考案によれば、この考案の切断刃付配線クリートによれば、光引込線を配線保持部材内で充分な把持力をもって保持することができる。
【００１３】
請求項３の考案は、上記請求項１または２の切断刃付配線クリートにおいて、上記押え蓋部の内側面に、上記配線保持部材側の第１カットブレードを受け入れるためのスリットが上記第２カットブレードに隣接して形成されたことを特徴とする。
【００１４】
この考案によれば、押え蓋部を閉じたとき、第１カットブレードの先端の刃部がスリットに進入し、テンションメンバーを良好に切断することができる。
【００１５】
請求項４の考案は、上記請求項１乃至３の切断刃付配線クリートにおいて、上記第１カットブレード及び第２カットブレードは、基部に固定部が上記配線保持部材または押え蓋部に嵌入固定可能に形成される一方、先端部両側に刃部が中央の凹部を除き形成されたことを特徴とする。
【００１６】
この考案によれば、第１カットブレード及び第２カットブレードを、配線保持部材または押え蓋部に簡単に取り付けることができ、押え蓋部を閉じたときには、第１カットブレードと第２カットブレードによって、テンションメンバーのみを良好に切断することができる。
【考案の効果】
【００１７】
本考案の切断刃付配線クリートによれば、光引込線に強力な引張力が生じたとき、引込線を切断可能に配線することができ、保安器取付台などに対し少ない部品数で簡単に光引込線を配線固定することができる。
【図面の簡単な説明】
【００１８】
【図１】本考案の一実施形態を示す切断刃付配線クリートの正面図である。
【図２】同配線クリートの押え蓋部を開いた状態の正面図である。
【図３】同配線クリートの底面図である。
【図４】図２のIV-IV断面図である。
【図５】第１、第２カットブレードを外した状態の底面図である。
【図６】第１、第２カットブレードの正面図（ａ）と左側面図（ｂ）である。
【図７】第１、第２カットブレードの切断態様を示す正面図（ａ）と左側面図（ｂ）である。
【図８】切断完了時の第１、第２カットブレードの正面図である。
【図９】第１、第２カットブレードの刃部の切断態様を示す断面図（ａ）とその凹部位置の断面図（ｂ）である。
【図１０】配線保持部材に対し押え蓋部を閉じる際の底面図である。
【図１１】切断刃付配線クリートを被固定面に固定した状態の断面図である。
【図１２】光引込線を切断刃付配線クリートにより保安器取付台に配線固定した状態の使用態様図である。
【考案を実施するための最良の形態】
【００１９】
以下、本考案の一実施形態を図面に基づいて説明する。切断刃付配線クリートは、図１〜３に示すように、略直方体形状の配線保持部材１と、配線保持部材１に対しヒンジ部４を介して開閉可能に一体成形された押え蓋部２と、から構成され、配線保持部材１と押え蓋部２は、その内側に光引込線（テンションメンバーにより補強された光ファイバケーブル）を保持するように、耐候性のある例えば黒色のポリプロピレン、ポリエチレン等の合成樹脂により一体成形される。
【００２０】
配線保持部材１の内側面（図２の開放正面）には、光引込線３０を挿入するための保持凹部１１が、その内側面を横断するように溝状に形成される。この保持凹部１１内に保持される光引込線３０は、図３に示すように、光ファイバ芯線３１の両側にテンションメンバー３２を配設して補強された光ファイバケーブルであり、切断刃付配線クリートが保安器取付台の被固定面に固定されることにより、被固定面に対し平行に保持される。さらに、配線保持部材１と押え蓋部２には、各々、貫通して固定用の挿入孔１２，２２が連通可能に設けられ、配線保持部材１に対し押え蓋部２を閉じた状態で、挿入孔１２，２２に固定ねじ９（又は釘）を挿入して、切断刃付配線クリートは保安器取付台の被固定面に固定されるようになっている。
【００２１】
光引込線３０を配線保持部材１と押え蓋部２との間に、閉じこみ且つ挟むように保持するため、押え蓋部２の内側面に２本の把持用リブ２１が光引込線３０を押圧する位置に突設される。さらに、押え蓋部２の内側面には２本の嵌合凸部２３，２３が突設され、押え蓋部２を閉じたとき、配線保持部材１の内側面に設けた嵌合孔１３，１３に嵌合して、位置決めされ嵌着するようになっている。さらに、押え蓋部２の自由端側に係止爪２５が突設され、押え蓋部２を閉じたとき、係止爪２５が配線保持部材１の縁部に設けた係止部１５に係止される構造となっている。
【００２２】
さらに、切断刃付配線クリートは、配線保持部材１の保持凹部１１内に光引込線３０を入れた状態で、押え蓋部２を強く閉じたとき、第１カットブレード５と第２カットブレード６により、光引込線３０のテンションメンバー３２のみが光ファイバ芯線３１を残して挟み切りされる構造となっている。このために、保持凹部１１内に、光引込線３０のテンションメンバー３２を切断するための第１カットブレード５が、光引込線３０の軸方向と垂直な横断面に沿って固定される。さらに、押え蓋部２の内側面に、第２カットブレード６が、押え蓋部２を閉じたとき、第１カットブレード５との間で、光引込線３０の光ファイバ芯線３１を残して、光引込線３０の両側部のテンションメンバー３２を挟み切りするように、固定される。
【００２３】
第１カットブレード５、第２カットブレード６は、図６に示すように、その基部に両側を鋸歯状とした固定部５ｂ、６ｂが、配線保持部材１及び押え蓋部２の内側面の挿入用スリットに圧入可能な形状に形成され、その先端側には、刃部５ａ，６ａが、中央の凹部５ｃ、６ｃの両側に分かれて形成されている。挿入用スリットは、予め、配線保持部材１及び押え蓋部２の内側面の保持凹部１１の横断位置に形成される。第１カットブレード５、第２カットブレード６の刃部５ａ，６ａは、図７，８に示すように、光引込線３０の両側部のテンションメンバー３２，３２のみを、中央の光ファイバ芯線３１を残して、鋏きりするように形成され、このために、第１カットブレード５、第２カットブレード６の刃部の中央には、凹部５ｃ、６ｃが形成されている。
【００２４】
このような第１カットブレード５は、図５に示すように、配線保持部材１の保持凹部１１の略中央を横断する位置に、予め形成された挿入用スリットに圧入するように取り付けられる。同様に、第２カットブレード６は、押え蓋部２の内側面の略中央（保持凹部１１に対応した位置の横断方向）に、予め形成された挿入用スリットに圧入するように取り付けられる。
【００２５】
また、第１カットブレード５と第２カットブレード６の刃部５ａ，６ａは、各々、図３の如く、配線保持部材１または押え蓋部２の内側面を向き、且つ内側面の露出して取り付けられ、これにより、押え蓋部２を閉じたとき、光引込線３０のテンションメンバー３２を切断可能としている。
【００２６】
尚、図２に示すように、配線保持部材１の保持凹部１１における横断位置に固定された第１カットブレード５の隣接位置には、切断時に第２カットブレード６の刃部６ａの進入を許容するための、スリット１４が形成され、押え蓋部２を閉じたとき、第２カットブレード６がスリット１４に進入し、良好に切断できるようになっている。
【００２７】
次に、上記切断刃付配線クリートの使用形態について説明する。例えば、電柱から住宅の外壁部に光引込線３０を配線する場合、図１２に示すように、光引込線３０はメッセンジャーワイヤ３３によって支持されて、外壁部の保安器取付台３４に敷設される。そして、光引込線３０は、保安器取付台３４上で、メッセンジャーワイヤ３３から離れ、切断刃付配線クリートにより保持・配線され、屋内に導入される。
【００２８】
すなわち、図１２に示すように、メッセンジャーワイヤ３３から離れた光引込線３０は、保安器取付台３４上まで導かれ、その位置で、図１０のように、切断刃付配線クリートの配線保持部材１の保持凹部１１内に挿入され、その状態で、押え蓋部２が、配線保持部材１に対し、その上面を覆うように、閉じられる。
【００２９】
このとき、押え蓋部２の嵌合凸部２３が配線保持部材１の嵌合孔１３に嵌入すると共に、係止爪２５が係止部１５に係止可能な状態または係止された状態となる。そして、図１２のように、切断刃付配線クリートの挿入孔１２，２２に固定ねじ９を挿入し、図１１のように、保安器取付台３４上にねじ込み、固定する。このとき、押え蓋部２の内側面に光引込線３０を把持するための把持用リブ２１が突設されているので、光引込線３０は配線保持部材１の保持凹部１１内で充分な把持力をもって保持される。
【００３０】
この状態で、押え蓋部２と配線保持部材１内に取り付けた第１カットブレード５と第２カットブレード６が、図８，９に示すように、光引込線３０の両側のテンションメンバー３２のみを鋏み切り、光ファイバ芯線３１を残した状態で、配線クリートが保安器取付台３４上に固定され、光引込線３０の配線が完了する。
【００３１】
このとき、第１カットブレード５と第２カットブレード６が、光引込線３０の両側のテンションメンバー３２を上下から挟みきりように動作するので、確実に切断することができ、また、配線保持部材１側には、切断時に第１カットブレード５を受け入れるためのスリット１４が第２カットブレード６に隣接して形成されているため、押え蓋部を閉じたとき、第１カットブレード５の先端の刃部５ａがスリット１４に進入し、テンションメンバー３２を良好に切断することができる。そして、図１１に示すように、切断刃付配線クリートは配線保持部材１と押え蓋部２との間の保持凹部１１内で、光ファイバ芯線３１を保持して光引込線３０を配線固定することとなる。
【００３２】
このように、光引込線３０を屋外の電柱などから外壁面の保安器取付台３４に配線する際、光引込線３０を切断刃付配線クリートの配線保持部材１の保持凹部１１内に入れ、押え蓋部２を閉じ、挿入孔１２，２２に固定ねじ９を挿入して切断刃付配線クリートを保安器取付台３４に固定するだけで、第１カットブレード５と第２カットブレード６により光引込線３０のテンションメンバー３２が光ファイバ芯線３１を残して切断された状態で、光引込線３０は保安器取付台３４に配線固定される。
【００３３】
このため、従来、Ｃ型切断スリーブと２個の配線クリートを使用して光引込線を配線した場合と同様に、自動車などが光引込線３０を引っ掛けて光引込線に大きな引張力が生じた際には光引込線３０を安全に切断することができる。また、従来のＣ型切断スリーブを使用する場合とは相違して、ループを形成したり、複数個所にテープを巻きつけたり、複数の配線クリートを用いて光引込線を固定する必要がなく、１個の配線クリートを保安器取付台３４に固定するのみで、少ない部品数で、非常に簡単に光引込線３０の配線を行うことができる。
【００３４】
なお、上記実施形態では、挿入孔１２，２２に固定ねじを挿入して切断刃付配線クリートを被固定面に固定したが、釘により切断刃付配線クリートを被固定面に固定することもできる。
【符号の説明】
【００３５】
１      配線保持部材
２      蓋部
３      請求項１乃至
４      ヒンジ部
５      第１カットブレード
５ａ    刃部
５ｂ    固定部
５ｃ    凹部
６      第２カットブレード
６ａ    刃部
１１    保持凹部
１２    挿入孔
１３    嵌合孔
１４    スリット
１５    係止部
２１    把持用リブ
２３    嵌合凸部
２５    係止爪
３０    光引込線
３１    光ファイバ芯線
３２    テンションメンバー
３３    メッセンジャーワイヤ
３４    保安器取付台
【図１】
0003165923.tif 000003
【図２】
0003165923.tif 000004
【図３】
0003165923.tif 000005
【図４】
0003165923.tif 000006
【図５】
0003165923.tif 000007
【図６】
0003165923.tif 000008
【図７】
0003165923.tif 000009
【図８】
0003165923.tif 000010
【図９】
0003165923.tif 000011
【図１０】
0003165923.tif 000012
【図１１】
0003165923.tif 000013
【図１２】
0003165923.tif 000014